(57)【要約】【課題】  発光素子と受光素子間の光量を可変調節することで、可変ノイズや歪の出ない音量信号調節を可能とする。【解決手段】  単純に発光素子と受光素子間の光量を可変すると直流分まで変るため可変ノイズが出る、コンプリメンタリ・プッシュ・プル方式の（１５ａ）発光素子Ａと（１５ｂ）発光素子Ｂを設け両方の光が同一量に成ると共に光量が（１６ａ）受光素子と（１６ｂ）受光素子に両方の光が同一量で最大にあたるよう取り付け、（１８）光干渉防止体と一対と成っている（１７）光量可変体を各位置へ移動した開口部の面積は常に同じで、（１５ａ）発光素子Ａと（１５ｂ）発光素子Ｂからの通過した光は両方同一量の直流分光が（１６ａ）受光素子と（１６ｂ）受光素子の受光部に受光される、コンプリメンタリ接続により直流分は常に打ち消され０となり、可変による直流可変音は出なく信号分である交流分のみ可変させる。【選択図】    図４６
2004304780.tif 000002
【特許請求の範囲】
【請求項１】
（１ａ）バイアス用発行素子、（１ｂ）信号用発行素子、（２）光干渉防止体、（３）光量可変体、（４）受光素子から成る光可変式音量調節器。
【請求項２】
（３）光量可変体を移動した各位置で、常に（４）受光素子の受光部に一定量の直流光が受光され、（９）負荷抵抗の直流電圧を一定にする請求項１記載の光可変式音量調節器。
【請求項３】
コンプリメンタリ・プッシュ・プル方式の（１５ａ）発光素子Ａ，（１５ｂ）発光素子Ｂ、（１７）光量可変体、（１８）光干渉防止体、（１６ａ）受光素子Ａと（１６ｂ）受光素子Ｂから成る光可変式音量調節器。
【請求項４】
（１７）光量可変体を移動した各位置で、常に（１６ａ）受光素子Ａと（１６ｂ）受光素子Ｂの受光部に同量の直流光が受光され、（２４）負荷抵抗の直流電圧を０にする請求項３記載の光可変式音量調節器。
【請求項５】
請求項１・請求項２と請求項３・請求項４記載から成る音量信号切換スイッチ。
【請求項６】
請求項１・請求項２と請求項３・請求項４記載の光量可変体に、シリコン・マイクロマシン技術を用いた、可動ミラーから成る音量信号調節式フォトカプラ。
【請求項７】
請求項１・請求項２と請求項３・請求項４記載から成る光可変式音量調節器搭載を特徴とするアンプ。
【請求項８】
請求項６、記載から成る音量信号調節式フォトカプラ搭載を特徴とするアンプ。
【請求項９】
請求項５、記載の音量信号切換スイッチ搭載を特徴とするアンプ。
【発明の詳細な説明】
【技術分野】
【０００１】
本発明は発行素子の光量を可変するアンプ用音量調節器。
【背景技術】
【０００２】
アンプの音量調節はカーボン素子を抵抗体に採用された可変抵抗が主流で、高級型のアンプでは二個の固定抵抗よる分割比を変えるロータリスイッチ型又はコンダクティブ・プラスチック素子を抵抗体に採用された可変抵抗がある、最近では増幅率の違うアンプ１６個使いリレーで組み合わせを変える高性能の音量調節器が開発されている。
【０００３】
しかし最近のオーディオアンプは部品素子の品質が向上し又回路技術の発達でこれ以上性能を上げられないほどに成っていて、Ｓ／Ｎ比・歪を悪くする要素として可変抵抗・スイッチ・リレー素子の影響が高く成ってきている、特に高級アンプでは高性能な可変抵抗・スイッチ・リレー素子を使い改善されているが現状の技術や素材部品では限界に成っている。
【０００４】
これらの高性能な可変抵抗・スイッチ・リレー素子を使っても経年変化による劣化が早く、当初の性能を維持する期間は他の素子と比べると短くなる。
【特許文献１】特許公開２００２−８４５８９号公報
【特許文献２】特許公開平５−４１６２６号公報
【特許文献３】実用新案公開平５−８２１８６号公報
【発明の開示】
【発明が解決しようとする課題】
【０００５】
従来の可変抵抗は抵抗体からの熱雑音があり、アンプのＳ／Ｎ比・歪に悪い影響を与え又可変した時にインピーダンスの変化があり音質の変化と成る、更に可変抵抗・スイッチ・リレー素子には接点があり接点抵抗による悪さで歪を発生し音質の低下となる共に素材の音色が強く出て音質の劣化と成る。
【課題を解決するための手段】
【０００６】
本発明は可変抵抗・スイッチ・リレー素子を一切使用しない、発光素子２個の光を可変することを最も主要な特徴とする。
【０００７】
図１・１３の（１ａ）バイアス用発行素子と（１ｂ）信号用発行素子を設け両方の光が同一量に成ると共に光量が（４）受光素子に最大にあたる角度に取り付け、（２）光干渉防止体と一対と成っている（３）光量可変体を図３〜１２の（５）矢印の方向に各位置へ移動した開口部の面積は常に一定で、（１ａ）バイアス用発行素子と（１ｂ）信号用発行素子からの通過した光を加算した一定量の直流分光が常に（４）受光素子の受光部に受光され、（９）負荷抵抗の直流電圧は一定となり信号分である交流分のみ可変させることを特徴とする。
【０００８】
コンプリメンタリ・プッシュ・プル方式の図３３・４６の（１５ａ）発光素子Ａと（１５ｂ）発光素子Ｂを設け、両方の光が同一量に成ると共に光量が（１６ａプ）受光素子Ａと（１６ｂ）受光素子Ｂに両方の光が同一量で最大にあたるよう取り付け、（１８）光干渉防止体と一対と成っている（１７）光量可変体を図３５〜４４の（１９）矢印の方向に各位置へ移動した開口部の面積は常に同じで、（１５ａ）発光素子Ａと（１５ｂ）発光素子Ｂからの通過した光は両方同一量の直流分光が（１６ａ）受光素子Ａと（１６ｂ）受光素子Ｂの受光部に受光され、コンプリメンタリ接続により直流分は常に打ち消され０となり可変による直流可変音の出ない交流分のみ可変させることを特徴とする。
【発明の効果】
【０００９】
本発明によりアンプの回路は単純な増幅回路の素子のみと成り、低価格でＳ／Ｎ比が良く又超低歪のアンプを開発でき、本発明の光可変式音量調節器と信号切換スイッチを組み込んだ接点が無い夢の高級アンプができる、又音量信号調節式フォトカプラを搭載すると更に価格低減につながり、信号調節をする必要のあるすべての分野に利用できる。
【発明を実施するための最良の形態】
【００１０】
図１３アンプ回路の（１ｂ）信号用発行素子に流す直流分は最良の直線部分に成るように（６）ＦＥＴのバイアスを決め、この光量と同一に成るように（１ａ）バイアス用発行素子の光量を（７）半固定可変抵抗で同一にして又（８）ＦＥＴのバイアスは最良の直線部分にセットして光可変式音量調節器を実現した。
【００１１】
コンプリメンタリ・プッシュ・プル方式は図４５・４６アンプ回路のコンプリメンタリＳＥＰＰがＡＢ級に成るように（２２ａ）（２２ｂ）電流増幅トランジスタＡ・Ｂのバイアスを決め、（１５ａ）発光素子Ａ（１５ｂ）発光素子ＢにＡＢ級信号を流しＡＢ級信号の光を発生、（１６ａ）受光素子Ａ（１６ｂ）受光素子ＢがＡＢ級信号の光を受け、これをコンプリメンタリ接続し（２３）負荷抵抗３ＫΩとし理想的な矩形波を取り出し、別回路の負帰還によりＤＣ〜１００ＫＨｚまでフラットで（２４）出力端子に出力出来る光可変式音量調節器を実現した。
【実施例１】
【００１２】
図１は本発明の実施例の断面図であって、図２は（２）光干渉防止体と（３）光量可変体の開口部を示す正面図で、図３〜７は（３）光量可変体を（５）矢印の方向へ移動した各位置の２個の発光素子から（４）受光素子に光が到達する状態が変わることを示す断面図で、図８〜１２は（３）光量可変体を（５）矢印の方向へ移動した各位置の開口部面積が一定であること示す正面図で、図１３は本発明をアンプ回路に組み込んだ配線図で、図１４〜３０は各部の波形図で、図３１は光量可変体を鏡にした図で、図３２はボリュームの位置を検出しＣＰＵ（マイクロコンピュータ）で（１ｂ）信号発光素子の位置と（１ａ）バイアス用発光素子の電流を制御するアンプ回路図である。
【００１３】
図１・１３の（１ａ）バイアス用発光素子に図１５の電流波形を流し（１ｂ）信号用発光素子に図１４の電流波形を流す、（３）光量可変体が図３の（３ａ）の位置で（１ａ）バイアス用発光素子の光量は全量通過し（１ｂ）信号用発光素子の光量は全量遮断され、（４）受光素子にバイアス用の直流光を受光する、図８はこの時の光干渉防止体と光量可変体の開口部の状態を示す、従って図１６・１７の通過状態を示す波形と成る又図１８の受光素子に当たる波形は一定の直流のみで交流信号がゼロ振幅と成る。
【００１４】
（３）光量可変体を図４の（５）矢印の方向へ移動し（３ｂ）にすると（１ａ）バイアス用発光素子の光量は４分の３通過し（１ｂ）信号用発光素子の光量は４分の１通過する、（４）受光素子にはバイアス用の直流光と信号用の直流光及び交流光を受光する、図９はこの時の光干渉防止体と光量可変体の開口部の状態を示す、従って図１９・２０の通過状態を示す波形と成る又図２１の（４）受光素子に当たる波形は加算された一定の直流分と交流信号が４分の１振幅と成る。
【００１５】
（３）光量可変体を図５の（５）矢印の方向へ移動し（３ｃ）にすると（１ａ）バイアス用発光素子の光量は４分の２通過し（１ｂ）信号用発光素子の光量は４分の２通過する、（４）受光素子にバイアス用の直流光と信号用の直流光及び交流光を受光する、図１０はこの時の光干渉防止体と光量可変体の開口部の状態を示す、従って図２２・２３の通過状態を示す波形と成る又図２４の（４）受光素子に当たる波形は加算された一定の直流分と交流信号が４分の２振幅と成る。
【００１６】
（３）光量可変体を図６の（５）矢印の方向へ移動し（３ｄ）にすると（１ａ）バイアス用発光素子の光量は４分の１通過し（１ｂ）信号用発光素子の光量は４分の３通過する、（４）受光素子にバイアス用の直流光と信号用の直流光及び交流光を受光する、図１１はこの時の光干渉防止体と光量可変体の開口部の状態を示す、従って図２５・２６の通過状態を示す波形と成る又図２７の（４）受光素子に当たる波形は加算された一定の直流分と交流信号が４分の３振幅と成る。
【００１７】
（３）光量可変体を図７の（５）矢印の方向へ移動し（３ｅ）にすると（１ａ）バイアス用発光素子の光量は全量遮断され（１ｂ）信号用発光素子の光量は全量通過する、（４）受光素子に信号用の直流光及び交流光を受光する、図１２はこの時の光干渉防止体と光量可変体の開口部の状態を示す、従って図２８・２９の通過状態を示す波形と成る又図３０の（４）受光素子に当たる波形は一定の直流分と交流信号が全振幅と成る。
【００１８】
図１３アンプ回路の（１ｂ）信号用発行素子に流す直流分は最良の直線部分を使い、この光量と同一に成るように（１ａ）バイアス用発行素子の光量を（７）半固定可変抵抗で調整して又（６）入力トランジスタのバイアスは最良の直線部分にセットする、入力信号は（６）入力トランジスタに入りコレクタと直列接続された（１ｂ）信号用発行素子で光信号に変換し、（３）光量可変体で光量調整されて（４）受光素子に受光して（８）出力トランジスタを通して出力される従って接点の無いＳ／Ｎが良く歪の少ない音量調節が実現する。
【００１９】
図３１は鏡を使った光量可変体に変えた光可変式音量調節器で鏡の角度を変えることで光量を可変する、この場合もフォトダイオードに当たる直流分が一定になるように（１ａ）バイアス用発行ダイオードと（１ｂ）信号用発行ダイオードの取り付け、（１０）鏡式光量可変体(１０ａ)（１０ｂ）間の角度を調整することで同じくＳ／Ｎが良く歪の少ない音量調節が実現する。
【００２０】
図３２アンプ回路の（１３）可変抵抗の位置を検出しＣＰＵ（マイクロコンピュータ）でモータに指令を出し、同時に（４）受光素子へ一定の直流分光量と成る様（１ａ）バイアス用発行素子に電流を流す、オーディオにおいて信号回路と並列に制御回路を接続すると音質劣化の原因に成るため、 （１２）校正スイッチをＯＮさせＣＰＵの学習機能で（１３）可変抵抗の各位置での（４）受光素子へ一定の直流分光量と成る様モータの指令値と（１ａ）バイアス用発行素子の電流値を記憶させ、使用時は（１２）校正スイッチをＯＦＦすると記憶された通りモータに指令を出すと同時に（１ａ）バイアス用発行素子に電流を流す、従って機械的なバランス崩れや発光素子の経年変化によるバランス崩れに対応し音量調節音のまったく出ない接点の無いＳ／Ｎが良く歪の少ない音量調節が実現する。
【実施例２】
【００２１】
図３３はコンプリメンタリ・プッシュ・プル方式の実施例の断面図であって図３４は（１８）光干渉防止体と（１７）光量可変体の開口部を示す正面図、図３５〜３９は（１７）光量可変体を（１９）矢印の方向へ移動した各位置で（１５ａ）発光素子Ａ・（１５ｂ）発光素子Ｂから（１６ａ）受光素子Ａ・（１６ｂ）受光素子Ｂに光が到達する状態が変わることを示す断面図、図４０〜４４は（１７）光量可変体を（１９）矢印の方向へ移動した各位置の開口部面積が同じであること示す正面図、図４５・４６は本発明をアンプ回路に組み込んだ配線図、図４７〜６３は各部の波形図、図６４はボリュームの位置を検出しＣＰＵ（マイクロコンピュータ）で（１７ａ）光量可変体Ａと（１７ｂ）光量可変体Ｂを可変させ常に開口部面積を同一にバランス制御するアンプ回路図である。
【００２２】
図３３・４６（１５ａ）発光素子Ａに図４７の電流波形を流し（１５ｂ）発光素子Ｂに図４８の電流波形を流す、（１７）光量可変体が図３５の（１７ａ）の位置で（１５ａ）発光素子Ａ（１５ｂ）発光素子Ｂ光量は全量通過し（１６ａ）受光素子Ａ（１６ｂ）受光素子Ｂに最大の交流光を受光する、図４０はこの時の光干渉防止体と光量可変体の開口部の状態を示す、従って図４９・５０の通過状態を示す波形と成る又図５９の（２４）出力端子の波形は最大の交流信号と成る。
【００２３】
（１７）光量可変体を図３６の（１９）矢印の方向へ移動した（１７ｂ）にすると（１５ａ）発光素子Ａ（１５ｂ）発光素子Ｂの光量は４分の３通過し（１６ａ）受光素子Ａ（１６ｂ）受光素子Ｂに４分の３の交流光を受光する、図４１はこの時の光干渉防止体と光量可変体の開口部の状態を示す、従って図５１・５２の通過状態を示す波形と成る又図６０の（２４）出力端子の波形は４分の３の交流信号と成る。
【００２４】
（１７）光量可変体を図３７の（１９）矢印の方向へ移動した（１７ｃ）にすると（１５ａ）発光素子Ａ（１５ｂ）発光素子Ｂの光量は４分の２通過し（１６ａ）受光素子Ａ（１６ｂ）受光素子Ｂに４分の２の交流光を受光する、図４２はこの時の光干渉防止体と光量可変体の開口部の状態を示す、従って図５３・５４の通過状態を示す波形と成る又図６１の（２４）出力端子の波形は４分の２の交流信号と成る。
【００２５】
（１７）光量可変体を図３８の（１９）矢印の方向へ移動した（１７ｄ）にすると（１５ａ）発光素子Ａ（１５ｂ）発光素子Ｂの光量は４分の１通過し（１６ａ）受光素子Ａ（１６ｂ）受光素子Ｂに４分の１の交流光を受光する、図４３はこの時の光干渉防止体と光量可変体の開口部の状態を示す、従って図５５・５６の通過状態を示す波形と成る又図６２の（２４）出力端子の波形は４分の１の交流信号と成る。
【００２６】
（１７）光量可変体を図３９の（１９）矢印の方向へ移動した（１７ｅ）にすると（１５ａ）発光素子Ａ（１５ｂ）発光素子Ｂの光量は遮断され（１６ａ）受光素子Ａ（１６ｂ）受光素子Ｂに光が遮断する、図４４はこの時の光干渉防止体と光量可変体の開口部の状態を示す、従って図５７・５８の通過状態を示す波形と成る又図６３の（２４）出力端子の波形は０の交流信号と成る。
【００２７】
図４５・５６アンプ回路の（２２ａ）・（２２ｂ）電流増幅トランジスタの回路にすべて特性の揃った（１５ａ）・（１５ｂ）音量調節回路用発光素子Ａ・Ｂと（２０ａ）・（２０ｂ）負帰還回路用発光素子Ａ・Ｂを設け、（２１ａ）・（２１ｂ）負帰還回路用受光素子Ａ・Ｂに光出力されＦＥＴ経由で負帰還をかけ矩形波・正弦波の波形修正・位相補正だけを行う、（１６ａ）・（１６ｂ）音量調節回路用受光素子Ａ・Ｂには（１７）光量可変体で調節された光が出力され（２３）負荷抵抗に調節された音量信号が現れＦＥＴ経由で（２４）出力端子に出力され、従って接点の無いＳ／Ｎが良く歪の少ない音量調節が実現する。
【００２８】
図６４アンプ回路の（２６）可変抵抗の位置を検出し（２７）ＣＰＵ（マイクロコンピュータ）で（２８ａ）・（２８ｂ）モータＡ・Ｂに指令を出し、（１７ｍａ）光量可変体Ａと（１８ｍａ）光干渉防止体Ａの組み合わせ又（１７ｍｂ）光量可変体Ｂと（１８ｍｂ）光干渉防止体Ｂの組み合わせの光量可変体を動かす、オーディオにおいて信号回路と並列に制御回路を接続すると音質劣化の原因に成るため、（２５）校正スイッチをＯＮさせＣＰＵの学習機能で（２６）可変抵抗の各位置で出力の直流電圧を０に成る位置を記憶させ、使用時は（２５）校正スイッチをＯＦＦすると記憶された通りにＡ・Ｂ光量可変体は動く、従って機械的なバランス崩れや発光素子の経年変化によるバランス崩れに対応し音量調節音のまったく出ない接点の無いＳ／Ｎが良く歪の少ない音量調節が実現する。
【実施例３】
【００２９】
光可変式音量調節器の光量可変体をすばやく移動してもショック音が無くオン・オフできるため、接点の無い夢の信号切換セレクトスイッチになる。
【実施例４】
【００３０】
光量可変体にシリコン・マイクロマシン技術を用いた可動ミラーとバイアス用発光ダイオード及び信号用発光ダイオードで構成するフォトカプラを作り超小型の光可変式の音量信号調節器を実現する。
【実施例５】
【００３１】
発光素子は低周波用として発光ダイオードがありアナログアンプ用となる、デジタル用としてレーザダイオードがありデジタルアンプ用となる、受光素子はアナログ・デジタル用としてフォトダイオードがあり、デジタル用としてフォトトランジスタ・フォトＩＣ等があり、従って本発明の音量信号調節器はアナログアンプとＰＷＭ（パルス幅変調）方式のデジタルアンプに使用可能となる。
【産業上の利用可能性】
【００３２】
音量調節器なので全ての各アンプに適用できる又光可変式音量調節器なので電気的に絶縁する信号調節の用途にも適用できる。
【図面の簡単な説明】
【００３３】
【図１】光可変式音量調節器の断面図である。
【図２】光量可変体の正面図である。
【図３】光量可変体の位置が（３ａ）の光可変式音量調節器の断面図である。
【図４】光量可変体の位置が（３ｂ）の光可変式音量調節器の断面図である。
【図５】光量可変体の位置が（３ｃ）の光可変式音量調節器の断面図である。
【図６】光量可変体の位置が（３ｄ）の光可変式音量調節器の断面図である。
【図７】光量可変体の位置が（３ｅ）の光可変式音量調節器の断面図である。
【図８】光量可変体の位置が（３ａ）の正面図である。
【図９】光量可変体の位置が（３ｂ）の正面図である。
【図１０】光量可変体の位置が（３ｃ）の正面図である。
【図１１】光量可変体の位置が（３ｄ）の正面図である。
【図１２】光量可変体の位置が（３ｅ）の正面図である。
【図１３】本発明を組み込んだアンプ回路図である。
【図１４】信号用発行素子に流れる電流波形図である。
【図１５】バイアス用発行素子に流れる電流波形図である。
【図１６】光量可変体の位置が（３ａ）の信号用発光素子の光が通過する波形図である。
【図１７】光量可変体の位置が（３ａ）のバイアス用発光素子の光が通過する波形図である。
【図１８】光量可変体の位置が（３ａ）の受光素子に当たる光波形図である。
【図１９】光量可変体の位置が（３ｂ）の信号用発光素子の光が通過する波形図である。
【図２０】光量可変体の位置が（３ｂ）のバイアス用発光素子の光が通過する波形図である。
【図２１】光量可変体の位置が（３ｂ）の受光素子に当たる光波形図である。
【図２２】光量可変体の位置が（３ｃ）の信号用発光素子の光が通過する波形図である。
【図２３】光量可変体の位置が（３ｃ）のバイアス用発光素子の光が通過する波形図である。
【図２４】光量可変体の位置が（３ｃ）の、受光素子に当たる光波形図である。
【図２５】光量可変体の位置が（３ｄ）の信号用発光素子の光が通過する波形図である。
【図２６】光量可変体の位置が（３ｄ）のバイアス用発光素子の光が通過する波形図である。
【図２７】光量可変体の位置が（３ｄ）の受光素子に当たる光波形図である。
【図２８】光量可変体の位置が（３ｅ）の信号用発光素子の光が通過する波形図である。
【図２９】光量可変体の位置が（３ｅ）のバイアス用発光素子の光が通過する波形図である。
【図３０】光量可変体の位置が（３ｅ）の受光素子に当たる光波形図である。
【図３１】本発明の実施例にかかわる鏡式光量可変体使用の光可変式音量調節器の構成図である。
【図３２】本発明の実施例にかかわるＣＰＵ（マイクロコンピュータ）を組み込んだアンプ回路である。
【図３３】コンプリメンタリ・プッシュ・プル方式の光可変式音量調節器の断面図である。
【図３４】コンプリメンタリ・プッシュ・プル方式の光量可変体の正面図である。
【図３５】光量可変体の位置が（１７ａ）の光可変式音量調節器の断面図である。
【図３６】光量可変体の位置が（１７ｂ）の光変式音量調節器の断面図である。
【図３７】光量可変体の位置が（１７ｃ）の光可変式音量調節器の断面図である。
【図３８】光量可変体の位置が（１７ｄ）の光可変式音量調節器の断面図である。
【図３９】光量可変体の位置が（１７ｅ）の光可変式音量調節器の断面図である。
【図４０】光量可変体の位置が（１７ａ）の正面図である。
【図４１】光量可変体の位置が（１７ｂ）の正面図である。
【図４２】光量可変体の位置が（１７ｃ）の正面図である。
【図４３】光量可変体の位置が（１７ｄ）の正面図である。
【図４４】光量可変体の位置が（１７ｅ）の正面図である
【図４５】本発明を組み込んだ負帰還部のアンプ回路図である。
【図４６】本発明を組み込んだ音量調節部のアンプ回路図である。
【図４７】プッシュ・プル用発行素子Ａに流れる電流波形図である。
【図４８】プッシュ・プル用発行素子Ｂに流れる電流波形図である。
【図４９】光量可変体の位置が（１７ａ）の発行素子Ａの光が通過する波形図である。
【図５０】光量可変体の位置が（１７ａ）の発行素子Ｂの光が通過する波形図である。
【図５１】光量可変体の位置が（１７ｂ）の発行素子Ａの光が通過する波形図である。
【図５２】光量可変体の位置が（１７ｂ）の発行素子Ｂの光が通過する波形図である。
【図５３】光量可変体の位置が（１７ｃ）の発行素子Ａの光が通過する波形図である。
【図５４】光量可変体の位置が（１７ｃ）の発行素子Ｂの光が通過する波形図である。
【図５５】光量可変体の位置が（１７ｄ）の発行素子Ａの光が通過する波形図である。
【図５６】光量可変体の位置が（１７ｄ）の発行素子Ｂの光が通過する波形図である。
【図５７】光量可変体の位置が（１７ｅ）の発行素子Ａの光が通過する波形図である。
【図５８】光量可変体の位置が（１７ｅ）の発行素子Ｂの光が通過する波形図である。
【図５９】光量可変体の位置が（１７ａ）の出力波形図である。
【図６０】光量可変体の位置が（１７ｂ）の出力波形図である。
【図６１】光量可変体の位置が（１７ｃ）の出力波形図である。
【図６２】光量可変体の位置が（１７ｄ）の出力波形図である。
【図６３】光量可変体の位置が（１７ｅ）の出力波形図である。
【図６４】本発明の実施例にかかわるＣＰＵ（マイクロコンピュータ）を組み込んだコンプリメンタリ・プッシュ・プル方式のアンプ回路図である。
【符号の説明】
【００３４】
１ａ      バイアス用発光素子
１ｂ      信号用発光素子
２        光干渉防止体
３        光量可変体
３ａ      ａの位置での光量可変体
３ｂ      ｂの位置での光量可変体
３ｃ      ｃの位置での光量可変体
３ｄ      ｄの位置での光量可変体
３ｅ      ｅの位置での光量可変体
４        受光素子
５        矢印
６        入力ＦＥＴ
７        半固定可変抵抗
８        出力ＦＥＴ
９        負荷抵抗
１０      鏡式光量可変体
１１      ＣＰＵ（マイクロコンピュータ）
１２      校正スイッチ
１３      可変抵抗
１４      モータ
１５ａ    音量調節回路用発光素子Ａ
１５ｂ    音量調節回路用発光素子Ｂ
１６ａ    音量調節回路用受光素子Ａ
１６ｂ    音量調節回路用受光素子Ｂ
１７      コンプリメンタリ・プッシュ・プル方式の光量可変体
１７ａ    ａの位置での光量可変体
１７ｂ    ｂの位置での光量可変体
１７ｃ    ｃの位置での光量可変体
１７ｄ    ｄの位置での光量可変体
１７ｅ    ｅの位置での光量可変体
１７ｍａ  ＣＰＵ（マイクロコンピュータ）搭載時の光量可変体Ａ
１７ｍｂ  ＣＰＵ（マイクロコンピュータ）搭載時の光量可変体Ｂ
１８      コンプリメンタリ・プッシュ・プル方式の光干渉防止体
１８ｍａ  ＣＰＵ（マイクロコンピュータ）搭載時の光干渉防止体Ａ
１８ｍｂ  ＣＰＵ（マイクロコンピュータ）搭載時の光干渉防止体Ｂ
２０ａ    負帰還回路用発光素子Ａ
２０ｂ    負帰還回路用発光素子Ｂ
２１ａ    負帰還回路用受光素子Ａ
２１ｂ    負帰還回路用受光素子Ｂ
２２ａ    コンプリメンタリ・プッシュ・プル方式のトランジスタＡ
２２ｂ    コンプリメンタリ・プッシュ・プル方式のトランジスタＢ
２３      コンプリメンタリ・プッシュ・プル方式の負荷抵抗
２４      コンプリメンタリ・プッシュ・プル方式の出力端子
２５      コンプリメンタリ・プッシュ・プル方式の校正スイッチ
２６      コンプリメンタリ・プッシュ・プル方式の可変抵抗
２７      コンプリメンタリ・プッシュ・プル方式のＣＰＵ（マイクロコンピュータ）
２８ａ    コンプリメンタリ・プッシュ・プル方式のモータＡ
２８ｂ    コンプリメンタリ・プッシュ・プル方式のモータＢ
【図１】
2004304780.tif 000003
【図２】
2004304780.tif 000004
【図３】
2004304780.tif 000005
【図４】
2004304780.tif 000006
【図５】
2004304780.tif 000007
【図６】
2004304780.tif 000008
【図７】
2004304780.tif 000009
【図８】
2004304780.tif 000010
【図９】
2004304780.tif 000011
【図１０】
2004304780.tif 000012
【図１１】
2004304780.tif 000013
【図１２】
2004304780.tif 000014
【図１３】
2004304780.tif 000015
【図１４】
2004304780.tif 000016
【図１５】
2004304780.tif 000017
【図１６】
2004304780.tif 000018
【図１７】
2004304780.tif 000019
【図１８】
2004304780.tif 000020
【図１９】
2004304780.tif 000021
【図２０】
2004304780.tif 000022
【図２１】
2004304780.tif 000023
【図２２】
2004304780.tif 000024
【図２３】
2004304780.tif 000025
【図２４】
2004304780.tif 000026
【図２５】
2004304780.tif 000027
【図２６】
2004304780.tif 000028
【図２７】
2004304780.tif 000029
【図２８】
2004304780.tif 000030
【図２９】
2004304780.tif 000031
【図３０】
2004304780.tif 000032
【図３１】
2004304780.tif 000033
【図３２】
2004304780.tif 000034
【図３３】
2004304780.tif 000035
【図３４】
2004304780.tif 000036
【図３５】
2004304780.tif 000037
【図３６】
2004304780.tif 000038
【図３７】
2004304780.tif 000039
【図３８】
2004304780.tif 000040
【図３９】
2004304780.tif 000041
【図４０】
2004304780.tif 000042
【図４１】
2004304780.tif 000043
【図４２】
2004304780.tif 000044
【図４３】
2004304780.tif 000045
【図４４】
2004304780.tif 000046
【図４５】
2004304780.tif 000047
【図４６】
2004304780.tif 000048
【図４７】
2004304780.tif 000049
【図４８】
2004304780.tif 000050
【図４９】
2004304780.tif 000051
【図５０】
2004304780.tif 000052
【図５１】
2004304780.tif 000053
【図５２】
2004304780.tif 000054
【図５３】
2004304780.tif 000055
【図５４】
2004304780.tif 000056
【図５５】
2004304780.tif 000057
【図５６】
2004304780.tif 000058
【図５７】
2004304780.tif 000059
【図５８】
2004304780.tif 000060
【図５９】
2004304780.tif 000061
【図６０】
2004304780.tif 000062
【図６１】
2004304780.tif 000063
【図６２】
2004304780.tif 000064
【図６３】
2004304780.tif 000065
【図６４】
2004304780.tif 000066